(57)【要約】【課題】  ＨＤＣＰ認証に失敗した場合には、ＤＶＩ入力からコンポジットまたはコンポーネントの入力画面に自動的に切り換える。【解決手段】  テレビジョン受信装置１の切換制御部１４は、切換スイッチ１３を切り換え制御して、共通端子ｃを端子ｂ側に、すなわち内部接続をデジタル入力端子１２側に切り換え、デジタル入力端子１２にＤＶＩケーブル２４が接続されているか否かを判断する。その結果、ＤＶＩケーブル２４が接続されている場合には、ＨＤＣＰ認証を開始し、ＨＤＣＰ認証に失敗した場合には、切換スイッチ１３を切り換え制御して、共通端子ｃを端子ａ側に、すなわち内部接続をデジタル入力端子１２側から、予め設定されたコンポジット信号またはコンポーネント信号の入力端子であるアナログ入力端子１１側に切り換える。【選択図】  図１
2006050170.tif 000002
【特許請求の範囲】
【請求項１】
コンポジット信号またはコンポーネント信号の入力端子であるアナログ入力端子とＤＶＩ規格に準拠したデジタルビデオ信号の入力端子であるデジタル入力端子とを有し、映像コンテンツの違法コピーを保護するＨＤＣＰ認証機能を有するテレビジョン受信装置において、
前記アナログ入力端子と前記デジタル入力端子とを内部的に切り換える切換手段と、
前記デジタル入力端子と外部機器のデジタル出力端子とが接続された状態で前記ＨＤＣＰ認証に失敗した場合に、前記切換手段を制御して内部的な接続を前記デジタル入力端子側から前記アナログ入力端子側に切り換える切換制御手段とを備え、
前記切換制御手段は、内部的な接続を前記アナログ入力端子側に切り換えた状態で、該アナログ入力端子からアナログ信号が入力されていないことを検出した場合には、前記切換手段を制御して内部的な接続を前記アナログ入力端子側から前記デジタル入力端子側に切り換えて再度ＨＤＣＰ認証を行うといった処理を複数回繰り返すとともに、複数回繰り返してもＨＤＣＰ認証に失敗した場合には、ＨＤＣＰ認証を失敗した旨をモニタ画面に表示することを特徴とするテレビジョン受信装置。
【請求項２】
コンポジット信号またはコンポーネント信号の入力端子であるアナログ入力端子とＤＶＩ規格に準拠したデジタルビデオ信号の入力端子であるデジタル入力端子とを有し、映像コンテンツの違法コピーを保護するＨＤＣＰ認証機能を有するテレビジョン受信装置において、
前記アナログ入力端子と前記デジタル入力端子とを内部的に切り換える切換手段と、
前記デジタル入力端子と外部機器のデジタル出力端子とが接続された状態で前記ＨＤＣＰ認証に失敗した場合に、前記切換手段を制御して内部的な接続を前記デジタル入力端子側から前記アナログ入力端子側に切り換える切換制御手段とを備えたことを特徴とするテレビジョン受信装置。
【請求項３】
前記切換制御手段は、内部的な接続を前記アナログ入力端子側に切り換えた状態で、該アナログ入力端子からアナログ信号が入力されていないことを検出した場合には、前記切換手段を制御して内部的な接続を前記アナログ入力端子側から前記デジタル入力端子側に切り換えて再度ＨＤＣＰ認証を行うことを特徴とする請求項２に記載のテレビジョン受信装置。
【請求項４】
前記切換制御手段は、内部的な接続を前記アナログ入力端子側に切り換えた状態で、該アナログ入力端子からアナログ信号が入力されていないことを確認した場合には、前記切換手段を制御して内部的な接続を前記アナログ入力端子側から前記デジタル入力端子側に切り換えて再度ＨＤＣＰ認証を行うといった処理を複数回繰り返すことを特徴とする請求項２に記載のテレビジョン受信装置。
【発明の詳細な説明】
【技術分野】
【０００１】
本発明は、コンポジット信号またはコンポーネント信号の入力端子であるアナログ入力端子とＤＶＩ規格に準拠したデジタルビデオ信号の入力端子であるデジタル入力端子とを有し、映像コンテンツの違法コピーを保護するＨＤＣＰ（High-bandwidth Digital Content Protection）認証機能を有するテレビジョン受信装置に関する。
【背景技術】
【０００２】
近時、デジタルインターフェースをもつテレビジョン受信装置やディスプレイモニタ装置が市場に供給されつつある。
【０００３】
このようなテレビジョン受信装置等では、コンポジット信号またはコンポーネント信号の入力端子であるアナログ入力端子とＤＶＩ規格に準拠したデジタルビデオ信号の入力端子であるデジタル入力端子とを有している。ＤＶＩ規格では、デジタル信号にのみ対応したインターフェースを備えるもの（ＤＶＩ−Ｄ）と、デジタル信号及びアナログ信号の双方に対応したインターフェースを備えるもの（ＤＶＩ−Ｉ）とがある。
【０００４】
このような従来のテレビジョン受信装置等では、ＤＶＩコネクタの種類を検出して映像を画面に表示するように構成されたもの（例えば、特許文献１参照）、入力ビデオ信号がアナログかデジタルかを判定して、ＯＳＤを各々のビデオ仕様に対応したものに切り換えるように構成されたもの（例えば、特許文献２参照）、入力ビデオ信号がアナログかデジタルかを自動的に識別する機能を備えたもの（例えば、特許文献３参照）などが提案されている。
【０００５】
一方、このようなデジタルインターフェースを持つテレビジョン受信装置等では、デジタル信号で高画質、高解像度の映像を簡単に入手することができるため、映像コンテンツを違法コピーされる可能性も高まっている。そのため、このような映像コンテンツの違法コピーを防止するためのＨＤＣＰ認証機能を備えたテレビジョン受信装置等も提供されている。
【特許文献１】特開２００２−１６９５３２号公報
【特許文献２】特開２００３−２９７２９号公報
【特許文献３】特開２００３−２４１７２４号公報
【発明の開示】
【発明が解決しようとする課題】
【０００６】
ＨＤＣＰ認証は、例えばテレビジョン受信装置に外部機器（例えば、ＤＶＤプレーヤ等）のＤＶＩケーブルが接続されていることの確認を、映像を出力する前に行っている。このようなＨＤＣＰ認証は、一旦認証が行われた後は、例えば解像度を変更した場合やＤＶＩケーブルを抜き差しした場合など、一度映像が途切れる状況にならないと行われない。そして、ＨＤＣＰ認証の結果、認証が成功すると暗号化されたデジタル信号が外部機器からテレビジョン受信装置に送信される一方、認証に失敗した場合は出力をオフにする。つまり、認証に失敗した場合には、外部機器側からのＤＶＩ出力がミュートされてしまうため、テレビジョン受信装置のモニタ画面がブラックアウトしてしまうことになる。そのため、ユーザは、その状況からコンポジットまたはコンポーネントの映像を見ようとする場合には、テレビジョン受信装置の入力切換キーを操作して内部的な接続をデジタル入力端子からアナログ入力端子に切り換える必要があり、ユーザにとって手間のかかる作業となっていた。
【０００７】
本発明はかかる問題点を解決すべく創案されたもので、その目的は、ＨＤＣＰ認証に失敗した場合には、ＤＶＩ入力からコンポジットまたはコンポーネントの入力画面に自動的に切り換えることのできるテレビジョン受信装置を提供することにある。
【課題を解決するための手段】
【０００８】
本発明のテレビジョン受信装置は、コンポジット信号またはコンポーネント信号の入力端子であるアナログ入力端子とＤＶＩ規格に準拠したデジタルビデオ信号の入力端子であるデジタル入力端子とを有し、映像コンテンツの違法コピーを保護するＨＤＣＰ認証機能を有するテレビジョン受信装置において、アナログ入力端子とデジタル入力端子とを内部的に切り換える切換手段と、デジタル入力端子と外部機器のデジタル出力端子とが接続された状態でＨＤＣＰ認証に失敗した場合に、切換手段を制御して内部的な接続をデジタル入力端子側からアナログ入力端子側に切り換える切換制御手段とを備えたことを特徴とする。
【０００９】
このように、ＨＤＣＰ認証に失敗した場合には、内部的な接続をデジタル入力端子側からアナログ入力端子側に自動的に切り換えるので、ＨＤＣＰ認証に失敗してモニタ画面がブラックアウトした場合でも、ユーザは何らキー操作を行うことなく、モニタ画面をコンポジットまたはコンポーネントの映像に切り換えることが可能となる。
【００１０】
この場合、前記切換制御手段は、内部的な接続をアナログ入力端子側に切り換えた状態で、該アナログ入力端子からアナログ信号が入力されていないことを検出した場合には、切換手段を制御して内部的な接続をアナログ入力端子側からデジタル入力端子側に再び切り換えて、再度、ＨＤＣＰ認証を行うように構成してもよい。このように、アナログ信号が入力されていない場合には、ＨＤＣＰ認証にリトライすることで、最初のＨＤＣＰ認証が、例えば何らかのノイズの影響等で失敗していた場合には、このリトライによってＨＤＣＰ認証に成功する可能性がある。
【００１１】
また、前記切換制御手段は、内部的な接続をアナログ入力端子側に切り換えた状態で、該アナログ入力端子からアナログ信号が入力されていないことを確認した場合には、切換手段を制御して内部的な接続をアナログ入力端子側からデジタル入力端子側に切り換えて再度ＨＤＣＰ認証を行うといった処理を複数回繰り返す。これにより、それまでのＨＤＣＰ認証の失敗が、例えば何らかのノイズの影響等であった場合には、この複数回のリトライによってＨＤＣＰ認証に成功する可能性が高くなる。この場合、複数回繰り返してもＨＤＣＰ認証に失敗した場合には、ＨＤＣＰ認証を失敗した旨をモニタ画面に表示するように構成してもよい。これにより、ユーザは、ＨＤＣＰ認証を複数回失敗していることを目視により確認できるので、例えば、ＤＶＩケーブルの接続不良等、考えられる不具合を点検することが可能となる。
【発明の効果】
【００１２】
本発明のテレビジョン受信装置によれば、ＨＤＣＰ認証に失敗した場合には、内部的な接続をデジタル入力端子側からアナログ入力端子側に自動的に切り換えるので、ＨＤＣＰ認証に失敗してモニタ画面がブラックアウトした場合でも、ユーザは何らキー操作を行うことなく、モニタ画面をコンポジットまたはコンポーネントの映像に切り換えることができる。
【００１３】
また、本発明のテレビジョン受信装置によれば、内部的な接続をアナログ入力端子側に切り換えた状態で、該アナログ入力端子からアナログ信号が入力されていないことを検出した場合には、内部的な接続をアナログ入力端子側からデジタル入力端子側に再び切り換えて、再度、ＨＤＣＰ認証を行うように構成したので、最初のＨＤＣＰ認証が、例えば何らかのノイズの影響等で失敗していた場合には、このリトライによってＨＤＣＰ認証に成功する可能性を高めることができる。
【００１４】
また、本発明のテレビジョン受信装置によれば、内部的な接続をアナログ入力端子側に切り換えた状態で、該アナログ入力端子からアナログ信号が入力されていないことを確認した場合には、内部的な接続をアナログ入力端子側からデジタル入力端子側に切り換えて再度ＨＤＣＰ認証を行うといった処理を複数回繰り返すように構成したので、それまでのＨＤＣＰ認証の失敗が、例えば何らかのノイズの影響等であった場合には、この複数回のリトライによってＨＤＣＰ認証に成功する可能性をさらに高めることができる。この場合、複数回繰り返してもＨＤＣＰ認証に失敗した場合には、ＨＤＣＰ認証を失敗した旨をモニタ画面に表示するように構成したので、ユーザは、ＨＤＣＰ認証を複数回失敗していることを目視により確認でき、例えばＤＶＩケーブルの接続不良等、考えられる不具合を点検することができる。
【発明を実施するための最良の形態】
【００１５】
以下、本発明の実施の形態について、図面を参照して説明する。
【００１６】
図１は、本発明のテレビジョン受信装置の主要部の電気的構成を示す機能ブロック図であり、外部機器である例えばＤＶＤプレーヤとＤＶＩケーブルで接続された状態を示している。
【００１７】
本実施形態のテレビジョン受信装置１は、予め設定されたコンポジット信号またはコンポーネント信号の入力端子であるアナログ入力端子１１と、ＤＶＩ規格に準拠したデジタルビデオ信号の入力端子であるデジタル入力端子１２とを有し、映像コンテンツの違法コピーを保護するＨＤＣＰ認証機能を備えている。また、アナログ入力端子１１とデジタル入力端子１２とを内部的に切り換える切換スイッチ１３と、この切換スイッチ１３を切り換え制御する切換制御部１４と、アナログ入力端子１１に入力されるコンポジット信号またはコンポーネント信号及びデジタル入力端子１２に入力されるデジタル信号を検出する信号検出部１５とを備えている。
【００１８】
そして、アナログ入力端子１１は、切換スイッチ１３の一方の端子ａに接続されており、デジタル入力端子１２は、切換スイッチ１３の他方の端子ｂに接続されており、切換スイッチ１３の共通端子ｃがアナログ／デジタル信号処理回路１６に接続されている。また、信号検出部１５の出力は切換制御部１４に接続されており、切換制御部１４の出力が切換スイッチ１３の切換制御端子に接続された構成となっている。
【００１９】
また、テレビジョン受信装置１のアナログ入力端子１１とＤＶＤプレーヤ２のアナログ出力端子２１とがアナログケーブル２３で接続されており、テレビジョン受信装置１のデジタル入力端子１２とＤＶＤプレーヤ２のデジタル出力端子２２とがＤＶＩケーブル２４で接続されている。
【００２０】
このような状態において、本実施形態では、切換制御部１４がＨＤＣＰ認証を実行し、ＨＤＣＰ認証に失敗した場合に、切換スイッチ１３を切り換え制御して、内部的な接続をデジタル入力端子１２側からアナログ入力端子１１側に切り換える制御を行うようになっている。
【００２１】
次に、上記構成のテレビジョン受信装置１による入力画面（すなわち、入力端子）の切り換え制御の実施例について説明する。
【実施例１】
【００２２】
本実施例１は、上記構成のテレビジョン受信装置１による入力画面切り換え制御の基本的な処理動作である。以下、図２に示すフローチャートを参照して説明する。
【００２３】
ＨＤＣＰ認証は、テレビジョン受信装置１及びＤＶＤプレーヤ２が共に電源オン状態において、テレビジョン受信装置１の入力として外部入力（ビデオ入力）が選択された場合に実施される。
【００２４】
すなわち、テレビジョン受信装置１の切換制御部１４は、まず、切換スイッチ１３を切り換え制御して、共通端子ｃを端子ｂ側に、すなわち内部接続をデジタル入力端子１２側に切り換える（ステップＳ１）。そして、このデジタル入力端子１２にＤＶＩケーブル２４が接続されているか否かを判断する（ステップＳ２）。その結果、ＤＶＩケーブル２４が接続されている場合（ステップＳ２でＹｅｓと判断された場合）には、このＤＶＩケーブル２４を介してＤＶＤプレーヤ２との間で個別キーの交換等を行ってＨＤＣＰ認証を開始する（ステップＳ３）。
【００２５】
すなわち、ＤＶＤプレーヤ２からＤＶＩケーブル２４を介して暗号化された映像信号が入力されているか否かを、信号検出部１５による信号検出によって判断する（ステップＳ４）。その結果、暗号化されている映像信号が入力されている場合（ステップＳ４でＹｅｓと判断された場合）には、その映像信号の復号化を行って映像信号が正常に再生できたか否かを確認することで、認証成功の有無を判断する（ステップＳ５）。そして、認証に成功した場合（ステップＳ５でＹｅｓと判断された場合）には、デジタル入力端子１２に入力される暗号化された映像信号を、切換スイッチ１３を介してアナログ／デジタル信号処理回路１６のデジタル信号処理部に入力し、ここで正常に復号化して図示しないモニタ画面に表示する。
【００２６】
一方、認証に失敗した場合（ステップＳ５でＮｏと判断された場合）、切換制御部１４は、切換スイッチ１３を切り換え制御して、共通端子ｃを端子ａ側に、すなわち内部接続をデジタル入力端子１２側から、予め設定されたコンポジット信号またはコンポーネント信号の入力端子であるアナログ入力端子１１側に切り換える（ステップＳ６）。これにより、アナログ入力端子１１を介して入力されるアナログのビデオ信号は、切換スイッチ１３を介してアナログ／デジタル信号処理回路１６のアナログ信号処理部に入力されて所定の信号処理が施され、モニタ画面に表示される。これにより、予め設定したコンポジットまたはコンポーネントのビデオ入力画面に自動的に切り換えることができる。
【実施例２】
【００２７】
上記実施例１は、入力画面切り換え制御の基本処理動作であるが、ステップＳ６でアナログ入力端子１１側に切り換えたとき、アナログ入力端子１１側にコンポジットまたはコンポーネントのビデオ入力が必ずしも有るとは限らない。本実施例２はその場合の処理動作である。以下、図３に示すフローチャートを参照して説明する。
【００２８】
切換制御部１４は、図２に示すステップＳ６において、内部接続をデジタル入力端子１２からアナログ入力端子１１に切り換えた後、信号検出部１５による信号検出によって、アナログ入力端子１１にコンポジット信号またはコンポーネント信号が入力されているか否かを判断する（ステップＳ１１）。その結果、信号入力が無い場合（ステップＳ１１でＮｏと判断された場合）には、切換制御部１４は、切換スイッチ１３を切り換え制御して、共通端子ｃを端子ｂ側に、すなわち内部接続をアナログ入力端子１１側からデジタル入力端子１２側に切り換えた後（ステップＳ１２）、再び図２のステップＳ２に戻ってＨＤＣＰ認証を開始する。
【００２９】
このように、アナログ入力端子１１にもアナログ信号が入力されていない場合には、内部接続を再度デジタル入力端子１２側に切り換えてＨＤＣＰ認証にリトライすることで、最初のＨＤＣＰ認証が、例えば何らかのノイズの影響等で失敗していた場合には、このリトライによってＨＤＣＰ認証に成功する可能性がある。
【実施例３】
【００３０】
上記実施例２では、アナログ入力端子１１にもアナログ信号が入力されていない場合には、内部接続を再度デジタル入力端子１２側に切り換えてＨＤＣＰ認証にリトライする構成であったが、本実施例３では、このリトライを複数回行う実施例である。以下、図４に示すフローチャートを参照して説明する。
【００３１】
切換制御部１４は、図２に示すステップＳ６において、内部接続をデジタル入力端子１２からアナログ入力端子１１に切り換えた後、図示しない内部に設けられたカウンタによって認証回数をカウントアップする（ステップＳ２１）。次に、信号検出部１５による信号検出によって、アナログ入力端子１１にコンポジット信号またはコンポーネント信号が入力されているか否かを判断する（ステップＳ２２）。その結果、信号入力が無い場合（ステップＳ２２でＮｏと判断された場合）には、切換制御部１４は、ＨＤＣＰ認証を予め設定された回数（例えば、Ｎ回）実施したかを判断し（ステップＳ２３）、予め設定された回数まで実施していない場合（ステップＳ２３でＮｏと判断された場合）には、切換スイッチ１３を切り換え制御して、共通端子ｃを端子ｂ側に、すなわち内部接続をアナログ入力端子１１側からデジタル入力端子１２側に切り換えた後（ステップＳ２４）、再び図２のステップＳ２に戻ってＨＤＣＰ認証を開始する。これにより、それまでのＨＤＣＰ認証の失敗が、例えば何らかのノイズの影響等であった場合には、この複数回のリトライによってＨＤＣＰ認証に成功する可能性が高くなる。
【００３２】
一方、ＨＤＣＰ認証を予め設定されたＮ回まで実施した場合（ステップＳ２３でＹｅｓと判断された場合）、つまり、Ｎ回実施してもＨＤＣＰ認証に失敗した場合には、ＨＤＣＰ認証を失敗した旨をモニタ画面に表示する（ステップＳ２５）。これにより、ユーザは、ＨＤＣＰ認証を複数回失敗していることを目視により確認できるので、例えば、ＤＶＩケーブルの接続不良等、考えられる不具合を点検することが可能となる。
【図面の簡単な説明】
【００３３】
【図１】本発明のテレビジョン受信装置の主要部の電気的構成を示す機能ブロック図であり、外部機器であるＤＶＤプレーヤとＤＶＩケーブルで接続された状態を示している。
【図２】本発明のテレビジョン受信装置による入力画面切り換え制御の実施例１の処理動作を説明するためのフローチャートである。
【図３】本発明のテレビジョン受信装置による入力画面切り換え制御の実施例２の処理動作を説明するためのフローチャートである。
【図４】本発明のテレビジョン受信装置による入力画面切り換え制御の実施例３の処理動作を説明するためのフローチャートである。
【符号の説明】
【００３４】
１  テレビジョン受信装置
２  ＤＶＤプレーヤ（外部機器）
１１  アナログ入力端子
１２  デジタル入力端子
１３  切換スイッチ
１４  切換制御部
１５  信号検出部
１６  アナログ／デジタル信号処理回路
２１  アナログ出力端子
２２  デジタル出力端子
２３  アナログケーブル
２４  ＤＶＩケーブル
【図１】
2006050170.tif 000003
【図２】
2006050170.tif 000004
【図３】
2006050170.tif 000005
【図４】
2006050170.tif 000006